(57)【要約】【課題】サムネイル一覧の表示に要する処理時間を短縮する。【解決手段】記録部に記録されている画像データに基づいて、複数のサムネイル画像を表示部に一覧表示するサムネイル一覧表示手段を有する画像再生装置において、一覧表示された複数のサムネイル画像を１枚の一覧表示画像として記録部に記録する一覧表示画像記録手段を有する。【選択図】図８
2010118887.tif 000002
【特許請求の範囲】
【請求項１】
記録部に記録されている画像データに基づいて、複数のサムネイル画像を表示部に一覧表示するサムネイル一覧表示手段を有する画像再生装置において、
前記一覧表示された複数のサムネイル画像を１枚の一覧表示画像として前記記録部に記録する一覧表示画像記録手段を有することを特徴とする画像再生装置。
【請求項２】
前記サムネイル一覧表示手段は、前記記録部に前記一覧表示画像が記録されている場合、
前記複数のサムネイル画像を前記表示部に一覧表示することに代え、前記一覧表示画像を前記表示部に表示する
ことを特徴とする請求項１に記載の画像再生装置。
【請求項３】
前記記録部に記録されている前記画像データに、追加、削除または変更が生じた場合に、前記一覧表示画像を再作成する一覧表示画像再作成手段を有する
ことを特徴とする請求項１または２のいずれかに記載の画像再生装置。
【請求項４】
記録部に記録されている画像データに基づいて、複数のサムネイル画像を表示部に一覧表示するサムネイル一覧表示処理と、
前記一覧表示された複数のサムネイル画像を１枚の一覧表示画像として前記記録部に記録する一覧表示画像記録処理と
を行うことを特徴とする画像再生方法。
【請求項５】
記録部に記録されている画像データに基づいて、複数のサムネイル画像を表示部に一覧表示するサムネイル一覧表示処理と、
前記一覧表示された複数のサムネイル画像を１枚の一覧表示画像として前記記録部に記録する一覧表示画像記録処理と
をコンピュータに実行させることを特徴とする画像再生プログラム。
【発明の詳細な説明】
【技術分野】
【０００１】
本発明は、画像再生装置、画像再生方法および画像再生プログラムに関する。さらに詳述すると、サムネイル画像の表示に好適な画像再生装置、画像再生方法および画像再生プログラムに関する。
【背景技術】
【０００２】
多数の画像を一覧表示するために縮小された画像（サムネイル画像）を表示する機能は、多くのデジタルカメラやパーソナルコンピュータ（以下、ＰＣ）用アプリケーションソフト、オペレーションシステムなどで一般的になっており、ユーザは一覧表示されたサムネイル画像の中から所望の画像を選択して表示、編集等をすることができる。
【０００３】
このようなサムネイル画像の表示を高速化するための技術として、例えば、特許文献１には、複数の異なる解像度のサムネイルを作成し、ストレージ装置に記録しておくことにより、閲覧用端末の要求に応じたサムネイル画像を応答する技術が開示されている。また、特許文献２には、読取り対象の記録媒体を一意に特定するための識別情報を生成して、その識別情報と記録媒体から読取ったサムネイル画像とを対応付けてデータ記録装置へ記録保存しておくことで、サムネイル画像の一覧表示を高速化しようとする技術が開示されている。また、特許文献３には、表示画面で表示するサムネイルと、当該表示画面で選択可能な頁のサムネイルのみを事前に生成して、サムネイルを高速表示する技術が開示されている。
【０００４】
【特許文献１】特開２００６−１０８９１２号公報
【特許文献２】特開２００６−２８５８３４号公報
【特許文献３】特開２００６−２０３７０２号公報
【発明の開示】
【発明が解決しようとする課題】
【０００５】
画像再生装置、例えば、デジタルカメラにおけるサムネイル画像の一覧（以下、サムネイル一覧ともいう）の表示は、内部の不揮発性メモリ（ＲＯＭ）や、ＳＤカードなどの不揮発性メモリ（メモリカード）に保存された記録画像を順次読み出して、サムネイル一覧を表示するプレーン領域に画像を展開して並べていくことで実現している。
【０００６】
このため、サムネイル一覧として表示する枚数分だけ、不揮発性メモリから画像を読み出さなければならず、例えば、１００枚のサムネイル画像の一覧を表示するためには、画像を読み出し表示プレーン領域に展開という処理を１００回繰り返さなければならず、非常に多くの時間が必要であるという問題がある。
【０００７】
特に、最近ではデジタルカメラの表示部の大型化、高精細化により、多くのサムネイル画像を一度に表示することが可能となっており、サムネイル一覧の表示に要する処理時間はユーザビリティ上重要な問題となっている。
【０００８】
しかしながら、デジタルカメラのような画像再生装置においては、特許文献１に記載の技術のように異なる解像度のサムネイル画像を作成してもサムネイル一覧の表示処理の高速化には繋がらない。また、特許文献２に記載の技術では、サムネイル画像の一覧表示の際、記録媒体からではなくデータ記録装置からサムネイル画像を読み込むことで処理の高速化を測っているが、サムネイル一覧として表示する枚数分だけ、データ記録装置から画像を読み出す処理を実行する必要がある点を解消することはできない。また、特許文献３に記載の技術では、すべての画像データについてサムネイル一覧を表示する際に処理の高速化を図ることはできない。
【０００９】
そこで、本発明は、サムネイル画像の一覧の表示に要する処理時間を短縮し、ユーザビリティの向上を可能とする画像再生装置、画像再生方法および画像再生プログラムを提供することを目的とする。
【課題を解決するための手段】
【００１０】
かかる目的を達成するため、請求項１に記載の画像再生装置は、記録部に記録されている画像データに基づいて、複数のサムネイル画像を表示部に一覧表示するサムネイル一覧表示手段を有する画像再生装置において、一覧表示された複数のサムネイル画像を１枚の一覧表示画像として記録部に記録する一覧表示画像記録手段を有するものである。
【００１１】
また、請求項２に記載の発明は、請求項１に記載の画像再生装置において、サムネイル一覧表示手段は、記録部に一覧表示画像が記録されている場合、複数のサムネイル画像を表示部に一覧表示することに代え、一覧表示画像を表示部に表示するものである。
【００１２】
また、請求項３に記載の発明は、請求項１または２のいずれかに記載の画像再生装置において、記録部に記録されている画像データに、追加、削除または変更が生じた場合に、一覧表示画像を再作成する一覧表示画像再作成手段を有するものである。
【００１３】
請求項４に記載の画像再生方法は、記録部に記録されている画像データに基づいて、複数のサムネイル画像を表示部に一覧表示するサムネイル一覧表示処理と、一覧表示された複数のサムネイル画像を１枚の一覧表示画像として記録部に記録する一覧表示画像記録処理とを行うようにしている。
【００１４】
請求項５に記載の画像再生プログラムは、記録部に記録されている画像データに基づいて、複数のサムネイル画像を表示部に一覧表示するサムネイル一覧表示処理と、一覧表示された複数のサムネイル画像を１枚の一覧表示画像として記録部に記録する一覧表示画像記録処理とをコンピュータに実行させるものである。
【発明の効果】
【００１５】
本発明によれば、画像データを順次読み出しサムネイル一覧を作成した際、１枚のサムネイル一覧表示画像として記録しておくことで、次回表示時には、再度順次読み出して作成することなく、一覧表示画像を読み出すだけでよいので、サムネイル一覧の表示に要する時間を短縮し、ユーザビリティを向上させることができる。
【発明を実施するための最良の形態】
【００１６】
以下、本発明の構成を図１から図１０に示す実施の形態に基づいて詳細に説明する。
【００１７】
１．画像再生装置の構成
本実施形態では、画像再生装置の一例として撮像装置（デジタルスチルカメラ、以下、デジタルカメラ、カメラともいう）を例に説明する。
【００１８】
図１はデジタルカメラの外観図を示し、（ａ）はカメラ上面図、（ｂ）はカメラ正面図、（ｃ）はカメラ裏面図を示している。
【００１９】
図１（ａ）に示すように、デジタルカメラは、上面に、サブＬＣＤ１と、レリーズボタン２（ＳＷ１）と、モードダイヤル４（ＳＷ２）とを有する。
【００２０】
また、図１（ｂ）に示すように、デジタルカメラは、正面に、ストロボ発光部３と、測距ユニット５と、リモコン受光部６と、鏡胴ユニット７と、光学ファインダ（正面）１１とを有する。また、メモリカードスロットル２３は、メモリカード３４を挿入するスロットルを示し、カメラ側面に設けられる。
【００２１】
また、図１（ｃ）に示すように、デジタルカメラは、裏面に、ＡＦＬＥＤ（オートフォーカスＬＥＤ）８と、ストロボＬＥＤ９と、ＬＣＤモニタ１０と、光学ファインダ（裏面）１１と、ズームボタンＴＥＬＥ１２（ＳＷ４）と、電源スイッチ１３（ＳＷ１３）と、ズームボタンＷＩＤＥ１４（ＳＷ３）と、再生スイッチ１５（ＳＷ６）とを有する。
【００２２】
さらに、セルフタイマ／削除スイッチ１６（ＳＷ５）と、ＭＥＮＵ／ＯＫスイッチ１７（ＳＷ１２）と、左／画像確認スイッチ１８（ＳＷ１１）と、下／マクロスイッチ１９（ＳＷ１０）と、上／ストロボスイッチ２０（ＳＷ７）と、右スイッチ２１（ＳＷ８）と、画像を表示するディスプレイスイッチ２２（ＳＷ９）とを有する。
【００２３】
図２はデジタルカメラの制御系のブロック図を示している。以下、デジタルカメラ内部のシステム構成について説明する。
【００２４】
ズームレンズ７ａ、フォーカスレンズ７ｂおよびメカニカルシャッタ７ｃからなる鏡胴ユニット７は、モータドライバ３２によって駆動される。モータドライバ３２は、信号処理ＩＣ１１０の内部に含まれるマイクロコンピュータ（以下、ＣＰＵという）１１１によって制御される。
【００２５】
ＣＣＤ１０１は、光学画像を光電変換するための固体撮像素子である。Ｆ／Ｅ（フロントエンド）−ＩＣ１００は、ＣＣＤ出力電気信号（アナログ画像データ）をサンプリングホールド（相関二重サンプリング）を行うＣＤＳ１０２、このサンプリングされたデータのゲインを調整するＡＧＣ１０３、デジタル信号変換を行うＡ／Ｄ１０４及びＣＣＤＩ／Ｆ部１１２より垂直同期信号（以下、ＶＤと記す）、水平同期信号（以下、ＨＤと記す）を供給され、ＣＣＤ１０１とＦ／Ｅ−ＩＣ１００との駆動タイミング信号を発生するＴＧ（タイミングジェネレーター：制御信号発生器）１０５を有する。
【００２６】
発振器（図示せず）は、ＣＰＵ１１１を含む信号処理ＩＣ１１０のシステムクロックとＴＧ１０５にクロックを供給している。ＴＧ１０５は発振器のクロックを受けて、ピクセル同期をするためのピクセルクロックを信号処理ＩＣ１１０内のＣＣＤＩ／Ｆ部１１２に供給する。
【００２７】
Ｆ／Ｅ−ＩＣ１００から信号処理ＩＣ１１０に入力されたデジタル信号は、ＣＣＤＩ／Ｆ部１１２を介して、メモリコントローラ１１５によりＳＤＲＡＭ３３にＲＧＢデータ（ＲＡＷ−ＲＧＢ）として一時保管される。
【００２８】
信号処理ＩＣ１１０は、システム制御を行うＣＰＵ１１１、ＣＣＤＩ／Ｆ部１１２、リサイズ処理部１１３、メモリコントローラ１１５、表示出力制御部１１６、圧縮伸張部１１７、メディアＩ／Ｆ１１８、ＹＵＶ変換部１１９等から構成されている。
【００２９】
ＣＣＤＩ／Ｆ部１１２は、画面水平同期信号（ＨＤ）と画面垂直同期信号（ＶＤ）の出力を行い、その同期信号に合わせてＡ／Ｄ１０４から入力されるデジタル（ＲＧＢ）信号を取り込んで、メモリコントローラ１１５経由でＳＤＲＡＭ３３にＲＧＢデータの書き込みを行う。
【００３０】
表示出力制御部１１６はＳＤＲＡＭ３３に書き込まれた表示用データを表示部に送り、撮影した画像の表示を行う。表示出力制御部１１６は、デジタルカメラが内蔵しているＬＣＤモニタ１０に表示することも、ＴＶビデオ信号として出力して外部装置に表示することも可能である。
【００３１】
ここでいう、表示用データとは、自然画像のＹＣｂＣｒと、撮影モードアイコンなどを表示するＯＳＤ（オンスクリーンディスプレイ）データであり、いずれもＳＤＲＡＭ３３上に置かれたデータをメモリコントローラ１１５が読み出して表示出力制御部１１６に送り、表示出力制御部１１６で合成したデータをビデオデータとして出力する。
【００３２】
圧縮伸張部１１７は、記録時はＳＤＲＡＭ３３に書き込まれたＹＣｂＣｒデータを圧縮してＪＰＥＧ符号化されたデータを出力し、再生時は読み出したＪＰＥＧ符号化データをＹＣｂＣｒデータに伸張して出力する。
【００３３】
メディアＩ／Ｆ部１１８は、ＣＰＵ１１１の指示により、メモリカード３４内のデータをＳＤＲＡＭ３３に読み出したり、ＳＤＲＡＭ３３上のデータをメモリカード３４に書き込んだりする。
【００３４】
ＹＵＶ変換部１１９は、ＣＰＵ１１１から設定された画像現像処理パラメータに基づき、ＳＤＲＡＭ３３に一時保管されたＲＧＢデータを輝度Ｙと色差ＣｂＣｒデータ（ＹＵＶデータ）に変換処理し、ＳＤＲＡＭ３３へ書き戻す。
【００３５】
また、全体の動作を制御する制御部であるＣＰＵ１１１は、起動時にＲＯＭ３０に格納されたカメラの制御を行う制御プログラムおよび制御データを、例えばＳＤＲＡＭ３３にロードし、そのプログラムコードに基づいて全体の動作を制御する。
【００３６】
ＣＰＵ１１１は、操作部３１のボタンキー等による指示、あるいは図示しないリモコン等の外部動作指示、あるいはパーソナルコンピュータ等の外部端末からの通信による通信動作指示に従い、撮像動作制御、画像現像処理パラメータの設定、メモリコントロール、表示制御等を行う。
【００３７】
操作部３１は、撮影者がデジタルカメラの動作指示を行うためのものであり、図１に示すように、撮影を指示する２段レリーズボタン２、光学ズームおよび電子ズーム倍率を設定するズームボタン１２,１４、露光モード選択などその他設定を外部から行うための各種ボタンキーを備えている。
【００３８】
操作部３１よりデジタルカメラの電源キーがオンされたことを検出すると、ＣＰＵ１１１は各ブロックに所定の設定を行う。この設定により、鏡胴ユニット７を介してＣＣＤ１０１で受光した画像は、デジタル映像信号に変換されて信号処理ＩＣ１１０に入力される。
【００３９】
信号処理ＩＣ１１０へ入力されたデジタル信号はＣＣＤＩ／Ｆ部１１２に入力される。ＣＣＤＩ／Ｆ部１１２では光電変換されたアナログ信号に黒レベル調整等の処理が行われて、ＳＤＲＡＭ３３に一旦保存される。このＳＤＲＡＭ３３に保存された「ＲＡＷ−ＲＧＢ」画像データは、ＹＵＶ変換部１１９に読み出されて、ガンマ変換処理、ホワイトバランス処理、エッジエンハンス処理、ＹＵＶ変換処理が行われ「ＹＵＶ」画像データとしてＳＤＲＡＭ３３へ書き戻される。
【００４０】
「ＹＵＶ」画像データは表示出力制御部１１６に読み出され、例えば出力先がＮＴＳＣシステムのＴＶであれば、リサイズ処理部１１３により、そのシステムに合わせた水平・垂直の変倍処理が施され、ＴＶに出力される。この処理がＶＤ毎に行われることで、スチル撮影前の確認用の表示であるモニタリングが行われる。
【００４１】
２．サムネイル一覧表示処理
図３に表示部（ＬＣＤモニタ１０）に表示されるサムネイル一覧の一例を示す。図３は、表示部に２０枚のサムネイル画像（図３中の符号４０）が表示された例を示している。以下、サムネイル一覧表示手段が、記録部（ＲＯＭ３０,メモリカード３４）に記録されている画像データに基づいて、複数のサムネイル画像を表示部に一覧表示する処理（サムネイル一覧表示処理）について説明する。尚、サムネイル一覧表示手段は、ＣＰＵ１１１、ＳＤＲＡＭ３３、リサイズ処理部１１３、表示出力制御部１１６、圧縮伸張部１１７により構成される。
【００４２】
サムネイル画像は、例えば、ＪＥＩＤＡ（日本電子工業振興協会）で規格されたＥｘｉｆ（Exchangeable Image File Format）に準拠したＪＰＥＧ画像の場合、図４に示すように一枚の記録画像の画像データ中にサムネイル画像の記録領域が存在し、当該データ領域に記録される。
【００４３】
ＳＤＲＡＭ３３には、図５に示すように、記録部に記録された記録画像を取り込む領域（記録画像取り込みエリア４１）およびサムネイル表示用プレーン４２（例えば、解像度６４０×４８０、以下、表示用プレーンともいう）が割り当てられている。
【００４４】
以下、図６に示すフローチャートを参照してサムネイル一覧表示処理について説明する。
【００４５】
先ず、記録部にＪＰＥＧ画像として保存されているサムネイル画像を読み出し（Ｓ１０）、圧縮伸張部１１７でＪＰＥＧデータを伸張し、表示可能なＹＵＶの形式のデータとしてＳＤＲＡＭ３３の記録画像取り込みエリア４１上に展開する。
【００４６】
次に、展開されたサムネイル画像をリサイズ処理部１１３で適当な大きさにリサイズし、表示用プレーン４２の所定位置（例えば、１枚目の場合は左上に該当する位置）に展開する（Ｓ１１〜Ｓ１２）。
【００４７】
上記処理（Ｓ１０〜Ｓ１２）を一覧表示に必要な枚数分（本実施形態では２０枚）繰り返す。即ち、表示用プレーン４２に必要な枚数がすべて展開されていない場合（Ｓ１３：ＮＯ）は、Ｓ１０の処理に戻り、次のサムネイル画像を記録部から読み出し、同様の処理を行い表示用プレーン４２の次の位置に展開する。
【００４８】
一方、表示用プレーン４２に必要な枚数がすべて展開された場合（Ｓ１３：ＹＥＳ）は、作成されたサムネイル一覧を表示出力制御部１１６を介してＬＣＤモニタ１０などの表示部に表示を行う（Ｓ１５）。この際、上述のように外部接続された装置（テレビ等）に表示するようにしても良い。
【００４９】
尚、本実施形態では、表示部へのサムネイル一覧の表示を表示用プレーン４２に必要枚数のサムネイル画像を展開した後に表示するようにしているが、これに限られるものではなく、例えば、先に、表示部に表示用プレーン４２を表示させ、順次サムネイル画像を展開表示させるようにしても良い。
【００５０】
以上説明した、サムネイル一覧表示処理は、好適な一例であって、公知又は新規のサムネイル一覧の表示処理を適用することできる。
【００５１】
３．サムネイル一覧記録処理
本発明は、上述の処理により作成されるサムネイル一覧を１枚の一覧表示画像（以下、サムネイル一括一覧画像ともいう）として記録部に記録することにより、サムネイル一覧の表示に要する時間を短縮することを特徴としている。以下、サムネイル一覧表示手段および一覧表示画像記録手段が、サムネイル一覧を記録部に記録する処理（一覧表示画像記録処理）について説明する。尚、サムネイル一覧表示手段は、ＣＰＵ１１１、ＳＤＲＡＭ３３、表示出力制御部１１６、圧縮伸張部１１７、メディアＩ／Ｆ１１８により構成される。
【００５２】
ＳＤＲＡＭ３３には、図７に示すように、上述の記録画像取り込みエリア４１およびサムネイル表示用プレーン４２に加えて、ＪＰＥＧ化されたサムネイル一覧を展開するためのサムネイル一括一覧画像エリア４３が割り当てられている。
【００５３】
以下、図８に示すフローチャートを参照して一覧表示画像記録処理について説明する。
【００５４】
サムネイル一覧を表示するに際して、まずサムネイル一括一覧画像が記録部に存在するか否かを判断する（Ｓ２０）。
【００５５】
サムネイル一括一覧画像が存在する場合（Ｓ２０：ＹＥＳ）には、記録部からサムネイル一括一覧画像を表示用プレーン４２領域に読み出し（Ｓ２７）、表示出力制御部１１６を介してＬＣＤモニタ１０などの表示部に表示を行う（Ｓ２８）。
【００５６】
これに対し、サムネイル一括一覧画像が存在しない場合（Ｓ２０：ＮＯ）は、Ｓ２１〜Ｓ２５の処理を行って、サムネイル一覧を表示する。尚、Ｓ２１〜Ｓ２５の処理は、上述のサムネイル一覧表示処理（Ｓ１０〜Ｓ１４）に対応するものであり、説明は省略する。
【００５７】
更に、表示用プレーン４２にサムネイル一覧画像がすべて展開された時点で、サムネイル一覧を表示するとともに（Ｓ２５）、サムネイル一覧を１枚の一覧表示画像（サムネイル一括一覧画像）として、記録部に記録する（Ｓ２６）。
【００５８】
尚、サムネイル一括一覧画像が、例えば、ＹＵＶの形式であるならば、記録するときにＪＰＥＧ画像とすることで記録サイズを小さくすることができる。サムネイル一括一覧画像のＪＰＥＧ化は圧縮伸張部１１７で圧縮し、メディアＩ／Ｆ１１８を介してＳＤカードなどのメモリカード３４に記録する。この際、サムネイル一括一覧画像は、他の画像との識別を可能とするファイル名を付けたり、サムネイル一括一覧画像の保存用フォルダを作成して、当該フォルダに保存する。
【００５９】
上述のように、従来は、記録部に記録されている画像を読み出し、例えば、ＥＸＩＦ準拠の画像の場合、その中からサムネイル画像をサーチし、表示用プレーンに展開するという処理を順次行っていた。これに対し、本実施形態では、一旦は、画像データを順次読み出してサムネイル一覧を作成するが、作成が完了した時点でサムネイル一括一覧画像として保存するので、例えば、カメラの電源をオフにして、次に、サムネイル画像を読み出すときはサムネイル一括一覧画像のデータを一回読み出すだけでサムネイル一覧を表示できるので、サムネイル画像の表示にかかる処理時間を大幅に短縮し、処理の高速化を図り、ユーザの使い勝手（ユーザビリティ）を向上させることができる。
【００６０】
４．一覧表示画像再作成処理
サムネイル一括一覧画像の作成元となった記録部に記録されている画像データがユーザにより、削除された場合、新たに画像が追加された場合、または画像に編集が施され変更された場合等には、記録されているサムネイル一括一覧画像との不一致が発生する。そこで、本発明は、更に、サムネイル一括一覧画像を再作成する一覧表示画像再作成手段を備えることが好ましい。尚、サムネイル一覧表示手段は、ＣＰＵ１１１、ＳＤＲＡＭ３３、表示出力制御部１１６、圧縮伸張部１１７、メディアＩ／Ｆ１１８により構成される。
【００６１】
図９にサムネイル一覧表示手段、一覧表示画像記録手段および一覧表示画像再作成手段が実行する一覧表示画像再作成処理のフローチャートを示す。
【００６２】
先ず、サムネイル一括一覧画像が記録部に存在するか否かを判断する（Ｓ３０）。存在しない場合（Ｓ３０：ＮＯ）は、サムネイル一括一覧画像作成（Ｓ３３）を行う。尚、サムネイル一括一覧画像作成（Ｓ３３）は、図８に示すＳ２１〜Ｓ２６の処理に対応する。
【００６３】
これに対し、サムネイル一括一覧画像が存在する場合（Ｓ３０：ＹＥＳ）は、記録部に新しい画像の記録、既存の画像の削除等が発生したかどうかを判断する（Ｓ３１）。発生していない場合（Ｓ３１：ＮＯ）は、サムネイル一括一覧画像作成（Ｓ３３）を行う。一方、変更が生じている場合（Ｓ３１：ＹＥＳ）は、以下のような処理を行う。
【００６４】
図１０に、サムネイル一括一覧画像の作成元となった画像データに変更が生じた場合の一例を示す。例えば、記録部に４０枚の画像が記録されているとする。またサムネイル一覧は２０枚の一覧表示をすることとする（図３参照）。この場合は、１〜２０枚目の画像と、２１〜４０枚目の２つのサムネイル一覧が作成される。
【００６５】
図１０（ａ）は、ユーザの操作によりサムネイル一覧表示の要求がなされると、表示装置に２１〜４０枚目の画像のサムネイル一覧が表示された状態を示している。
【００６６】
ここで、ユーザの操作により、例えば、３３枚目の画像が削除されると、サムネイル一覧画像から３３枚目の画像を削除したサムネイル一覧を表示しなければならない（図１０（ｂ））。このため、一括一覧画像は１枚の画像として保存しているのでこの画像を削除し、再度一括画像を作り直す必要がある。
【００６７】
そこで、本実施形態では、サムネイル一括一覧画像を削除し（Ｓ３２）、サムネイル一括一覧画像作成（Ｓ３３）を行っている。これにより、次回のサムネイル一覧の表示時において、図１０（ｂ）に示すようなサムネイル一覧画像の表示が可能となる。
【００６８】
尚、サムネイル一括一覧画像を再作成するタイミングは、画像の削除後再びサムネイル一覧表示のイベントが発生した時に行うようにしても、画像の削除や追加が発生したタイミングで行うようにしても良く、特に限られるものではない。
【００６９】
このように記録部に記録された画像データに新しい画像の記録や削除が発生した場合にサムネイル一括一覧画像を再作成することにより、画像データとの整合を図ることができ、表示されるサムネイル一括一覧画像が常に画像データの最新の状況を反映したものとすることができる。
【００７０】
また、上記サムネイル一覧表示手段、一覧表示画像記録手段および一覧表示画像再作成手段は、予めＲＯＭ３０等に記録されているソフトウェア（本発明の画像再生プログラム）を画像再生装置で実行させることで構成でき、その実行の際に必要なデータは、例えば、ＳＤＲＡＭ３３にロードされる。
【００７１】
尚、上述の実施形態は本発明の好適な実施の例ではあるがこれに限定されるものではなく、本発明の要旨を逸脱しない範囲において種々変形実施可能である。
【００７２】
例えば、上述の実施形態では、画像再生装置としてデジタルカメラを例にしたが、画像再生装置は、ハンドスキャナおよび携帯情報端末（ＰＤＡ）等からなる、画像入力装置と画像処理装置と表示装置をもった画像再生システムであっても良い。また、デジタルカメラで撮影した画像データを再生する画像再生装置としてのパーソナルコンピュータ、ハードディスクレコーダ等に適用することもできる。
【図面の簡単な説明】
【００７３】
【図１】本発明に係る画像再生装置（デジタルカメラ）の外観図の一例であって、（ａ）はカメラ上面図、（ｂ）はカメラ正面図、（ｃ）はカメラ裏面図を示す。
【図２】デジタルカメラの制御系を示すブロック図の一例である。
【図３】サムネイル画像一覧の表示例である。
【図４】画像データ中のサムネイル画像の記録領域を示す図である。
【図５】ＳＤＲＡＭにおける記録領域の割り当てを説明するための模式図である。
【図６】サムネイル一覧表示処理の一例を示すフローチャートである。
【図７】ＳＤＲＡＭにおける記録領域の割り当てを説明するための模式図である。
【図８】一覧表示画像記録処理の一例を示すフローチャートである。
【図９】一覧表示画像再作成処理の一例を示すフローチャートである。
【図１０】（ａ）一覧表示画像の表示例、（ｂ）再作成後の一覧表示画像の表示例である。
【符号の説明】
【００７４】
１０  ＬＣＤパネル（表示部）
３０  ＲＯＭ（記録部）
３３  ＳＤＲＡＭ（記録部）
３４  メモリカード
４０  サムネイル画像
４１  記録画像取り込みエリア
４２  サムネイル表示用プレーン
４３  サムネイル一括一覧画像エリア
１１１  ＣＰＵ
１１３  リサイズ処理部
１１６  表示出力制御部
１１７  圧縮伸張部
１１８  メディアＩ／Ｆ
【図１】
2010118887.tif 000003
【図２】
2010118887.tif 000004
【図３】
2010118887.tif 000005
【図４】
2010118887.tif 000006
【図５】
2010118887.tif 000007
【図６】
2010118887.tif 000008
【図７】
2010118887.tif 000009
【図８】
2010118887.tif 000010
【図９】
2010118887.tif 000011
【図１０】
2010118887.tif 000012